(57)【特許請求の範囲】
【請求項１】
複数のエレベータを備える建物に適用されるエレベータの警報システムであって、前記エレベータの乗りかご内に設けられた非常呼びボタンと、前記エレベータの乗り場及び遠隔監視センタに設けられたスピーカーと、互いに異なる複数のアナウンスが記憶された制御装置と、前記乗り場に設けられて、前記乗りかご内の利用者と通話できる乗り場インターホンと、を備え、前記制御装置は、前記非常呼びボタンが押されたときに、前記複数のアナウンスのうち前記非常呼びボタンが押されたエレベータに対応するアナウンスを、前記乗り場のスピーカーと前記遠隔監視センタのスピーカーの両方から放送し、前記乗り場に設けられた前記乗り場インターホンを用いた応答があった場合、および、前記遠隔監視センタからの応答があった場合、のいずれにおいても、前記乗り場のスピーカーによる前記アナウンスの放送と前記遠隔監視センタのスピーカーによる前記アナウンスの放送の両方を終了することを特徴とするエレベータの警報システム。
【請求項２】
前記複数のアナウンスの数は、前記複数のエレベータの数以上であり、前記複数のエレベータのうち１つのエレベータの前記非常呼びボタンが押されたときに前記スピーカーから放送されるアナウンスは、前記複数のエレベータのうち他のエレベータの前記非常呼びボタンが押されたときに前記スピーカーから放送されるアナウンスとは異なることを特徴とする請求項１に記載のエレベータの警報システム。
【発明の詳細な説明】
【技術分野】
【０００１】
本発明の実施形態は、エレベータの警報システムに関する。
【背景技術】
【０００２】
エレベータは、非常停止し利用者がエレベータの乗りかご内に閉じ込められた場合に、乗客が遠隔監視センタと連絡をとれるようにするため、非常呼びボタンが乗りかご内に設けられている。閉じ込められた利用者は、非常呼びボタンを押すことで、遠隔監視センタの係員と通話でき、現在の状況を伝えることができる。また、エレベータが非常停止した原因が地震等である場合、乗りかご内と遠隔監視センタとの間の電話回線が使用できなくなる可能性がある。このため、乗りかご内と遠隔監視センタとの間の通話が行えない場合でも、乗りかご内に利用者が閉じ込められていることを、表示灯等によりエレベータの乗り場にいる人に伝えることができるシステムが知られている。これにより、状況を把握した乗り場にいる人が遠隔監視センタ等に状況を伝えることで、乗りかご内に閉じ込められた利用者の救出活動が行われる。
【先行技術文献】
【特許文献】
【０００３】
【特許文献１】特開２００７−２４６２３０号公報
【発明の概要】
【発明が解決しようとする課題】
【０００４】
ところで、建物には、１つの乗り場に複数のエレベータが設置されていることが多い。このため、乗り場にいる人は、表示灯等により、乗りかご内に利用者が閉じ込められていることを認識できても、複数のエレベータのうちのどのエレベータの乗りかご内に利用者が閉じ込められているのかを特定するために時間を要する可能性がある。したがって、乗り場に設けられているエレベータが複数である場合、閉じ込められた利用者の救出に時間を要する可能性があった。
【０００５】
本発明は、上記に鑑みてなされたものであって、乗り場に設けられているエレベータが複数であっても、閉じ込められた利用者の救出に要する時間を短縮できるエレベータの警報システムを提供することを目的とする。
【課題を解決するための手段】
【０００６】
実施形態に係るエレベータの警報システムは、複数のエレベータを備える建物に適用されるエレベータの警報システムであって、エレベータの乗りかご内に設けられた非常呼びボタンと、エレベータの乗り場及び遠隔監視センタに設けられたスピーカーと、互いに異なる複数のアナウンスが記憶された制御装置と、乗り場に設けられて、乗りかご内の利用者と通話できる乗り場インターホンと、を備える。制御装置は、非常呼びボタンが押されたときに、複数のアナウンスのうち非常呼びボタンが押されたエレベータに対応するアナウンスを、乗り場のスピーカーと遠隔監視センタのスピーカーの両方から放送し、乗り場に設けられた乗り場インターホンを用いた応答があった場合、および、遠隔監視センタからの応答があった場合、のいずれにおいても、乗り場のスピーカーによるアナウンスの放送と遠隔監視センタのスピーカーによるアナウンスの放送の両方を終了する。
【図面の簡単な説明】
【０００７】
【図１】図１は、本実施形態に係るエレベータの乗り場の構成を示す模式図である。
【図２】図２は、本実施形態に係るエレベータの概略を示す模式図である。
【図３】図３は、本実施形態に係る制御装置の構成を示す模式図である。
【図４】図４は、本実施形態に係るエレベータの乗りかごの構成を示す模式図である。
【図５】図５は、本実施形態に係るかご操作盤の正面図である。
【図６】図６は、本実施形態に係る乗り場操作盤の正面図である。
【図７】図７は、本実施形態に係る制御装置の構成を機能ブロックで示したブロック図である。
【図８】図８は、本実施形態に係るエレベータの警報システムの動作の一例を説明するフローチャートである。
【発明を実施するための形態】
【０００８】
［本実施形態］
図１は、本実施形態に係るエレベータの乗り場の構成を示す模式図である。図２は、本実施形態に係るエレベータの概略を示す模式図である。図３は、本実施形態に係る制御装置の構成を示す模式図である。図４は、本実施形態に係るエレベータの乗りかごの構成を示す模式図である。図５は、本実施形態に係るかご操作盤の正面図である。図６は、本実施形態に係る乗り場操作盤の正面図である。図７は、本実施形態に係る制御装置の構成を機能ブロックで示したブロック図である。
【０００９】
まず、図１に示すように、本実施形態のエレベータの警報システム１００は、３つのエレベータ１が乗り場６に面している建物に適用される。図２に示すように、エレベータ１は、乗りかご２が昇降路７内を昇降することで、任意の目的階の乗り場６に利用者を移動させることができる。本実施形態におけるエレベータ１は、乗りかご２と、カウンタウェイト３と、メインロープ４と、巻上機５と、乗り場６と、制御装置１０と、を備える。エレベータ１は、乗りかご２およびカウンタウェイト３をメインロープ４で連結した、いわゆるつるべ式のエレベータである。本実施形態のエレベータ１は、いわゆるマシンルームレスエレベータであり、昇降路７の上部に機械室を備えておらず、昇降路７内の頂部に巻上機５、制御装置１０が設けられている。巻上機５は、例えば、メインシーブ５ａ、そらせシーブ５ｂおよび電動機（モータ）５ｃを備える。本実施形態のエレベータ１は、マシンルームレスエレベータの場合としたがこれに限定されない。エレベータの警報システム１００は、機械室を備えているエレベータを備えた建物にも用いることができる。
【００１０】
図２に示すように、乗りかご２は、制御ケーブルや電源ケーブル等を内装したテールコードを介して制御装置１０に接続されている。乗りかご２は、かご操作盤８と、かごドア１１と、を備える。かご操作盤８は、利用者による操作入力に応じていわゆるかご呼び登録等を行う。かご操作盤８は、いわゆるＣＯＰ（Ｃａｒ  Ｏｐｅｒａｔｉｏｎ  Ｐａｎｅｌ）を構成する。
【００１１】
メインロープ４は、メインシーブ５ａおよびそらせシーブ５ｂに掛けられる。メインロープ４の一端は乗りかご２に接続され、メインロープ４の他端はカウンタウェイト３に接続される。巻上機５の電動機５ｃが駆動すると、電動機５ｃに連結されたメインシーブ５ａが回転駆動する。そして、巻上機５は、メインシーブ５ａとメインロープ４との間に生じる摩擦力によりメインロープ４を巻き上げる。
【００１２】
図２に示すように、乗り場６は、乗りかご２が着床可能な各階に設けられる。各乗り場６は、乗り場操作盤９と、乗り場ドア１２と、を備える。乗り場操作盤９は、利用者による操作入力に応じていわゆる乗り場呼び登録を行う。
【００１３】
図３に示すように、制御装置１０は、例えばマイクロコンピュータであり、通常の形式の双方向コモン・バスにより相互に連結された入力インターフェース１０ａと、出力インターフェース１０ｂと、ＣＰＵ（Ｃｅｎｔｒａｌ  Ｐｒｏｃｅｓｓｉｎｇ  Ｕｎｉｔ）１０ｃと、ＲＯＭ（Ｒｅａｄ  Ｏｎｌｙ  Ｍｅｍｏｒｙ）１０ｄと、ＲＡＭ（Ｒａｎｄｏｍ  Ａｃｃｅｓｓ  Ｍｅｍｏｒｙ）１０ｅと、を備える。ＲＯＭ１０ｄは、所定の制御プログラム等を予め記憶している。ＲＡＭ１０ｅは、ＣＰＵの演算結果を一時記憶する。制御装置１０の各機能は、入力インターフェース１０ａ、出力インターフェース１０ｂ、ＣＰＵ１０ｃ、ＲＯＭ１０ｄ、ＲＡＭ１０ｅを組み合わせて実現される。
【００１４】
制御装置１０は、種々のセンサ、検出器、巻上機５の電動機５ｃ、かご操作盤８、乗り場操作盤９等のエレベータ１の各部と電気的に接続され、各部の動作を統括的に制御する。本実施形態においては、制御装置１０が複数のエレベータ１を監視し、各エレベータ１の動きを制御している。つまり、複数のエレベータ１は、１つの制御装置１０を共有する。制御装置１０は、例えば、かご操作盤８、乗り場操作盤９に対する操作入力に応じて、巻上機５の駆動を制御し、乗りかご２を呼び登録に応じた指定の目的階に移動させる。また、図２に示すように、制御装置１０は、遠隔監視センタ２００と電気的に接続されている。
【００１５】
通常運転において、利用者によりかご操作盤８を介して乗りかご２の呼び操作が行われた場合、かご操作盤８から制御装置１０にかご呼び登録信号が入力される。利用者により乗り場操作盤９を介して乗りかご２の呼び操作が行われた場合、乗り場操作盤９から制御装置１０に乗り場呼び登録信号が入力される。制御装置１０は、かご呼び登録信号または乗り場呼び登録信号に応じて乗りかご２のかご呼び登録または乗り場呼び登録を行う。制御装置１０は、かご呼び登録、乗り場呼び登録、種々のセンサ、検出器からの出力、乗りかご２の現在の移動方向（昇降方向）等に基づいて、乗りかご２が合理的に移動しながらそれぞれの呼びに応答するように乗りかご２の着床順序を定める。そして、制御装置１０は、巻上機５を駆動制御し、乗りかご２を目的の階床へと移動させる。これにより、乗りかご２は、昇降路７内を鉛直方向上下に昇降移動し、任意の目的階の乗り場６に移動する。そして、制御装置１０は、乗りかご２が目的階の乗り場６に着床し、所定の着床位置に着床したことを検出すると、かごドア１１、乗り場ドア１２を開放する。これにより、乗り場６で待機している利用者は、乗りかご２内に乗り込むことが可能となり、また、乗りかご２内の利用者は乗り場６に降りることが可能となる。
【００１６】
ところで、エレベータ１に非常停止等が生じ、利用者が乗りかご２内に閉じ込められた場合、閉じ込められた利用者が速やかに救出されることが望ましい。このため、本実施形態に係るエレベータ１は、非常時において、利用者が外部と連絡をとれるようにするための構成を備えている。
【００１７】
図４および図５に示すように、かご操作盤８は、かごドア１１の側方の壁面に配置されており、表示画面８１と、かごスピーカー８４と、マイク８５と、非常呼びボタン８６と、行先階ボタン８７と、開ボタン８８と、閉ボタン８９と、を備える。表示画面８１は、例えば液晶パネルであって、現在位置している階を表示する階床表示部８２と、非常時における情報を表示するメッセージ表示部８３と、を備える。階床表示部８２は、現在位置している階を視覚的に利用者に知らせることができる。メッセージ表示部８３は、非常停止等が生じたことを利用者に視覚的に知らせることができる。
【００１８】
かごスピーカー８４は、通常運転において、着床した階を音声として発し、着床した階を音声で利用者に知らせることができる。かごスピーカー８４は、非常時において、現在の状況に関する情報を音声として発し、非常停止等が生じたことを利用者に音声として知らせることができる。非常呼びボタン８６は、非常時に外部に対して非常事態である旨を伝達するためのボタンである。乗りかご２内の利用者によって非常呼びボタン８６が操作され、外部と通話ができる状態になった場合、かごスピーカー８４によって外部からの音声が発せられ、マイク８５によって乗りかご２内の利用者が外部に音声を伝達できる。
【００１９】
行先階ボタン８７は、乗りかご２を移動させる目的階を選択するためのボタンである。行先階ボタン８７は、乗りかご２が着床可能な階に対応して複数個設けられている。開ボタン８８は、乗りかご２がいずれかの階に着床中に、かごドア１１の開操作を行うためのボタンである。閉ボタン８９は、乗りかご２がいずれかの階に着床中に、かごドア１１の閉操作を行うためのボタンである。
【００２０】
図６に示すように、乗り場操作盤９は、乗り場スピーカー９１と、上昇呼びボタン９２と、下降呼びボタン９３と、乗り場インターホン９４と、を備える。乗り場スピーカー９１は、乗りかご２内の利用者によって非常呼びボタン８６が操作されたときに、所定のアナウンスを発する。上昇呼びボタン９２は、上階に向かう乗りかご２を乗り場６に呼ぶためのボタンである。下降呼びボタン９３は、下階に向かう乗りかご２を乗り場６に呼ぶためのボタンである。乗り場インターホン９４は、制御装置１０を介して音声を乗りかご２内に送信することができ、かつ乗りかご２内の音声を受信することができる。乗り場インターホン９４は、例えば受話器を有し、受話器が上げられることで乗り場６にいる利用者と乗りかご２内にいる利用者との通話を可能にする。
【００２１】
本実施形態に係るエレベータの警報システム１００は、非常呼びボタン８６と、乗り場スピーカー９１と、制御装置１０と、を備えている。本実施形態に係る制御装置１０は、上述したように通常運転におけるエレベータ１の制御を行うとともに、非常呼びボタン８６が押されたときのかご操作盤８および乗り場操作盤９の制御を行う。図７に示すように、制御装置１０は、異常エレベータ特定部１３と、エレベータ情報記憶部１４、アナウンス選択部１５と、アナウンス記憶部１６と、第１発信部１７と、第２発信部１８と、を備える。非常時において乗りかご２内の非常呼びボタン８６が押された場合、非常呼びボタン８６が押されたかご操作盤８から制御装置１０に向けて、非常呼び信号が出力される。非常呼び信号は、制御装置１０の異常エレベータ特定部１３に入力され記憶される。
【００２２】
非常呼び信号は、例えば、３つのエレベータ１に対して別々に設定されている。すなわち、図１に示す３つのエレベータ１のうち乗り場６から見て最も左側に位置するエレベータ１の非常呼びボタン８６が押されたときの非常呼び信号と、中央に位置するエレベータ１の非常呼びボタン８６が押されたときの非常呼び信号と、最も右側に位置するエレベータ１の非常呼びボタン８６が押されたときの非常呼び信号とは互いに異なっている。以下の説明において、図１に示す３つのエレベータ１のうち乗り場６から見て最も左側に位置するエレベータ１は第１エレベータと記載され、中央に位置するエレベータ１は第２エレベータと記載され、最も右側に位置するエレベータ１は第３エレベータと記載される。
【００２３】
エレベータ情報記憶部１４は、３つのエレベータ１と３つの非常呼び信号とをそれぞれ対応づけた非常呼び信号データベースを記憶している。異常エレベータ特定部１３は、入力された非常呼び信号と、エレベータ情報記憶部１４に記憶された非常呼び信号データベースとに基づいて、複数のエレベータ１のうちどのエレベータ１の非常呼びボタン８６が押されたかを特定する。そして、異常エレベータ特定部１３は、非常呼びボタン８６が押されたエレベータ１の情報を信号としてアナウンス選択部１５に出力する。非常呼びボタン８６が押されたエレベータ１の情報は、アナウンス選択部１５に入力され記憶される。
【００２４】
アナウンス記憶部１６は、複数のアナウンスを音声情報として記憶している。本実施形態において、アナウンス記憶部１６は、互いに異なる３つのアナウンスを記憶している。３つのアナウンスは、３つのエレベータ１にそれぞれ対応している。例えば、３つのアナウンスのうちの１つ目の第１アナウンスは、「向かって最も左側のエレベータに乗客が閉じ込められています」というアナウンスであり、第１エレベータに対応している。３つのアナウンスのうちの２つ目の第２アナウンスは、「向かって中央のエレベータに乗客が閉じ込められています」というアナウンスであり、第２エレベータに対応している。３つのアナウンスのうちの３つ目の第３アナウンスは、「向かって最も右側のエレベータに乗客が閉じ込められています」というアナウンスであり、第３エレベータに対応している。
【００２５】
アナウンス記憶部１６は、３つのエレベータ１と３つのアナウンスとをそれぞれ対応づけたアナウンスデータベースを記憶している。アナウンス選択部１５は、非常呼びボタン８６が押されたエレベータ１の情報と、アナウンス記憶部１６に記憶されたアナウンスデータベースとに基づいて、非常呼びボタン８６が押されたエレベータ１に対応するアナウンスを選択する。第１エレベータの非常呼びボタン８６が押されていた場合、アナウンス選択部１５は、第１エレベータに対応する「向かって最も左側のエレベータに乗客が閉じ込められています」というアナウンス（第１アナウンス）を選択する。第２エレベータの非常呼びボタン８６が押されていた場合、アナウンス選択部１５は、第２エレベータに対応する「向かって中央のエレベータに乗客が閉じ込められています」というアナウンス（第２アナウンス）を選択する。第３エレベータの非常呼びボタン８６が押されていた場合、アナウンス選択部１５は、第３エレベータに対応する「向かって最も右側のエレベータに乗客が閉じ込められています」というアナウンス（第３アナウンス）を選択する。そして、アナウンス選択部１５は、選択したアナウンスを音声情報として第１発信部１７および第２発信部１８に出力する。
【００２６】
第１発信部１７は、アナウンス選択部１５から入力された音声情報を遠隔監視センタ２００に発信する。第１発信部１７から音声情報を受け取った遠隔監視センタ２００は、備え付けられたスピーカー等により、アナウンス選択部１５で選択されたアナウンスを遠隔監視センタ２００内に放送することができる。これにより、遠隔監視センタ２００にいる係員は、複数のエレベータ１のうちどのエレベータ１で異常が発生しているのかを認識することができる。
【００２７】
第２発信部１８は、アナウンス選択部１５から入力された音声情報を乗り場操作盤９に発信する。第２発信部１８から音声情報を受け取った乗り場操作盤９は、乗り場スピーカー９１により、アナウンス選択部１５で選択されたアナウンスを乗り場６に放送することができる。これにより、乗り場６にいる利用者は、複数のエレベータ１のうちどのエレベータ１で異常が発生しているのかを認識することができる。
【００２８】
図８は、本実施形態に係るエレベータの警報システムの動作の一例を説明するフローチャートである。以下の説明においては、第１エレベータの非常呼びボタン８６が押された場合を例に挙げて説明する。例えば、制御装置１０は、かご操作盤８を常に監視しており、非常呼びボタン８６が押されたことを検出できる。非常呼びボタン８６が押されていない場合、制御装置１０は、かご操作盤８の監視を継続する（ステップＳ１、Ｎｏ）。第１エレベータの非常呼びボタン８６が押された場合、第１エレベータのかご操作盤８は、制御装置１０に向けて非常呼び信号を発信する（ステップＳ１、Ｙｅｓ）。
【００２９】
次に、非常呼び信号を受信した制御装置１０は、異常エレベータ特定部１３により複数のエレベータ１のうち非常呼びボタン８６が押された第１エレベータを特定する（ステップＳ２）。そして、制御装置１０は、非常呼びボタン８６が押された第１エレベータの情報を信号として異常エレベータ特定部１３からアナウンス選択部１５に出力する。
【００３０】
次に、制御装置１０は、アナウンス選択部１５により第１エレベータに対応する「向かって最も左側のエレベータに乗客が閉じ込められています」とのアナウンスを選択する（ステップＳ３）。そして、制御装置１０は、選択したアナウンスである音声情報を、アナウンス選択部１５から第１発信部１７および第２発信部１８に出力する。
【００３１】
次に、制御装置１０は、第１発信部１７および第２発信部１８により、遠隔監視センタ２００および乗り場６でアナウンスの放送を開始する（ステップＳ４）。遠隔監視センタ２００および乗り場６において、「向かって最も左側のエレベータに乗客が閉じ込められています」とのアナウンスが放送される。
【００３２】
制御装置１０は、遠隔監視センタ２００から応答があるかどうかを判定することができる。例えば、制御装置１０は、遠隔監視センタ２００に備えられた受話器等の操作を監視することで、遠隔監視センタ２００から応答があるかどうかを判定する。遠隔監視センタ２００から応答があった場合（ステップＳ５、Ｙｅｓ）、制御装置１０は、遠隔監視センタ２００および乗り場６におけるアナウンスの放送を終了する（ステップＳ６）。その後、第１エレベータ内の利用者から遠隔監視センタ２００に現在の状況が伝えられ、遠隔監視センタ２００からエレベータ管理会社等に閉じ込められた利用者を救出するための連絡が行われる（ステップＳ７）。
【００３３】
一方、制御装置１０は、乗り場６から応答があるかどうかを判定することができる。例えば、制御装置１０は、乗り場６に備えられた乗り場インターホン９４の操作を監視することで、乗り場６から応答があるかどうかを判定する。遠隔監視センタ２００から応答がない場合（ステップＳ５、Ｎｏ）、乗り場６から応答があるかどうかを判定する。乗り場６から応答がない場合（ステップＳ８、Ｎｏ）、制御装置１０は、遠隔監視センタ２００から応答があるかどうかの判定を続ける（ステップＳ５）。乗り場６から応答があった場合（ステップＳ８、Ｙｅｓ）、制御装置１０は、遠隔監視センタ２００および乗り場６におけるアナウンスの放送を終了する（ステップＳ９）。その後、乗り場インターホン９４と、かご操作盤８のかごスピーカー８４およびマイク８５とを介して、第１エレベータ内の利用者から乗り場６にいる利用者に現在の状況が伝えられる。そして、乗り場６にいる利用者から遠隔監視センタ２００に現在の状況が伝えられる（ステップＳ１０）。次に、遠隔監視センタ２００からエレベータ管理会社等に閉じ込められた利用者を救出するための連絡が行われる（ステップＳ７）。
【００３４】
以上で説明したように、本実施形態に係るエレベータの警報システム１００は、複数のエレベータ１を備える建物に備えられ、互いに異なる複数のアナウンスが記憶された制御装置１０を備える。制御装置１０は、非常呼びボタン８６が押されたときに、複数のアナウンスのうち非常呼びボタン８６が押されたエレベータ１に対応するアナウンスを、乗り場スピーカー９１から放送することができる。これにより、非常停止等により乗りかご２内に閉じ込められた利用者が非常呼びボタン８６を押した場合、非常停止したエレベータ１に対応するアナウンスが乗り場６に放送される。このため、エレベータの警報システム１００は、エレベータ１で閉じ込めが発生したことを、乗り場６にいる利用者に音声で認識させることができる。これに加えて、エレベータの警報システム１００は、複数のエレベータ１のうちどのエレベータ１に利用者が閉じ込められているのかを、乗り場６にいる利用者に音声で認識させることができる。したがって、エレベータの警報システム１００は、非常呼びボタン８６が押されたときから、遠隔監視センタ２００等に状況が伝わるまでに要する時間を短縮できる。よって、エレベータの警報システム１００は、乗り場６に設けられているエレベータ１が複数であっても、閉じ込められた利用者の救出に要する時間を短縮できる。
【００３５】
また、エレベータの警報システム１００は、複数のエレベータ１のうちどのエレベータ１に利用者が閉じ込められているのかを音声で知らせている。これにより、エレベータの警報システム１００は、乗り場６にいる目の不自由な利用者に対しても、エレベータ１の状況を伝えることができる。
【００３６】
また、本実施形態に係るエレベータの警報システム１００において、複数のアナウンスの数は、複数のエレベータ１の数と同数である。そして、複数のエレベータのうち１つのエレベータ１（例えば第１エレベータ）の非常呼びボタン８６が押されたときに乗り場スピーカー９１から放送されるアナウンスは、複数のエレベータ１のうち他のエレベータ１（例えば第２エレベータ）の非常呼びボタン８６が押されたときに乗り場スピーカー９１から放送されるアナウンスとは異なる。これにより、エレベータの警報システム１００は、複数のエレベータ１のうちどのエレベータ１に利用者が閉じ込められているのかを、乗り場６にいる利用者により容易に認識させることができる。
【００３７】
また、本実施形態に係るエレベータの警報システム１００は、乗りかご２内の利用者と通話できる乗り場インターホン９４を乗り場６に備える。これにより、乗り場６にいる利用者は、複数のエレベータ１のうちどのエレベータ１に利用者が閉じ込められているのかを認識したあと、エレベータ１に閉じ込められた利用者と通話することができる。このため、乗り場６にいる利用者は、状況をより正確に把握することができる。よって、エレベータの警報システム１００は、乗り場６に設けられているエレベータ１が複数であっても、閉じ込められた利用者の救出に要する時間をより短縮できる。
【００３８】
なお、乗り場６に設けられるエレベータ１は、上述した説明のように必ずしも３つでなくてもよく、２つであってもよいし、４つ以上であってもよい。また、制御装置１０のアナウンス記憶部１６に記憶されるアナウンスの数は、乗り場６に設けられるエレベータ１の数以上であることが好ましい。
【００３９】
また、各エレベータ１に対応する各アナウンスは、上述したものに限らず、複数のエレベータ１のうちどのエレベータ１で異常が発生しているのかを、乗り場６にいる乗客に伝えることができるアナウンスであればよい。すなわち、アナウンスは、複数のエレベータ１のうちどのエレベータ１で異常が発生しているのかを示す文言を含んでいればよい。例えば、第１エレベータに対応するアナウンスが「エレベータ１号機に乗客が閉じ込められています」というアナウンスであってもよい。ただし、アナウンスは、乗り場６にいる利用者でも閉じ込めが発生しているエレベータ１を容易に把握できるようにするため、異常が発生しているエレベータ１の乗り場６から見た場合の位置を直接的に示す文言を含むことが好ましい。また、アナウンスは、異常が発生したエレベータ１が昇降路７内の高さ方向のどの位置で停止しているかを示す文言を含んでいてもよい。例えば「エレベータ１号機に乗客が閉じ込められています。エレベータ１号機は２階と３階の間で停止しています。」というアナウンスであってもよい。また、目の不自由な利用者に対する利便性を向上させるため、アナウンスは、異常が発生したエレベータ１を示す文言に加えて、通常運転中のエレベータ１を示す文言を含んでいてもよい。例えば「エレベータ１号機に乗客が閉じ込められています。エレベータ１号機および２号機は通常通り運転中です。」というアナウンスであってもよい。
【００４０】
また、制御装置１０は、遠隔監視センタ２００に放送するためのアナウンスと、乗り場６に放送するためのアナウンスとを別々に有していてもよい。例えば、第１エレベータの非常呼びボタン８６が押された場合に、遠隔監視センタ２００に放送するためのアナウンスが「エレベータ１号機に乗客が閉じ込められています」とのアナウンスであって、乗り場６に放送するためのアナウンスが「向かって最も左側のエレベータに乗客が閉じ込められています」とのアナウンスであってもよい。遠隔監視センタ２００は、直接的に位置を示す文言を含むアナウンスが放送されなくとも、閉じ込めが発生しているエレベータ１を把握できる。
【００４１】
また、エレベータの警報システム１００は、非常呼びボタン８６が押されたときに点灯する表示灯を乗り場６に備えていてもよい。これにより、エレベータの警報システム１００は、複数のエレベータ１のうちどのエレベータ１に利用者が閉じ込められているのかを、乗り場６にいる利用者に視覚および聴覚の両方を通じて認識させることができる。例えば、エレベータの警報システム１００が表示灯を備える場合のアナウンスは、「赤いランプが点灯しているエレベータに乗客が閉じ込められています」というものであればよい。このようにすることで、乗り場６にいる利用者は、閉じ込めが発生しているエレベータ１をより容易に把握することができる。
【００４２】
また、必ずしも本実施形態のように１つの制御装置１０が複数のエレベータ１の動きを制御していなくてもよい。例えば、各エレベータ１が動きを制御するための制御装置を備えており、これらの制御装置を統括して制御する統括制御装置として制御装置１０が設けられていてもよい。また、非常呼びボタン８６が押されたときのかご操作盤８および乗り場操作盤９の制御を行う制御装置は、通常運転におけるエレベータ１を制御する制御装置とは別個に設けられていてもよい。
【００４３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４４】
１  エレベータ、２  乗りかご、３  カウンタウェイト、４  メインロープ、５  巻上機、５ａ  メインシーブ、５ｂ  そらせシーブ、５ｃ  電動機（モータ）、６  乗り場、７  昇降路、８  かご操作盤、９  乗り場操作盤、１０  制御装置、１１  かごドア、１２  乗り場ドア、１３  異常エレベータ特定部、１４  エレベータ情報記憶部、１５  アナウンス選択部、１６  アナウンス記憶部、１７  第１発信部、１８  第２発信部、８１  表示画面、８２  階床表示部、８３  メッセージ表示部、８４  かごスピーカー、８５  マイク、８６  非常呼びボタン、８７  行先階ボタン、８８  開ボタン、８９  閉ボタン、９１  乗り場スピーカー、９２  上昇呼びボタン、９３  下降呼びボタン、９４  乗り場インターホン、１００  エレベータの警報システム、２００  遠隔監視センタ
【図１】
0005963321.tif 000002
【図２】
0005963321.tif 000003
【図３】
0005963321.tif 000004
【図４】
0005963321.tif 000005
【図５】
0005963321.tif 000006
【図６】
0005963321.tif 000007
【図７】
0005963321.tif 000008
【図８】
0005963321.tif 000009